(57)【要約】【課題】送受信データを最適に符復号化処理できる通信システム、無線端末、無線基地局装置、および通信方法を提供すること。【解決手段】通信システム１は、無線端末１０と、無線端末１０とデータ通信を行う無線基地局装置３０と、を備えている。無線端末１０および無線基地局装置３０のうち少なくとも一方は、現在位置における電波の伝播状態を検出する伝播状態検出手段３と、伝播状態検出手段３により検出された電波の伝播状態と、伝播状態の分類モデルとに基づいて、送受信データの符号化及び／又は復号化の処理方法を可変させる符復号化処理手段４と、を有している。【選択図】図３
2009296316.tif 000002
【特許請求の範囲】
【請求項１】
無線端末と、該無線端末とデータ通信を行う無線基地局装置と、を備える通信システムであって、
前記無線端末および前記無線基地局装置のうち少なくとも一方は、
現在位置における電波の伝播状態を検出する伝播状態検出手段と、
前記伝播状態検出手段により検出された前記電波の伝播状態と、該伝播状態の分類モデルとに基づいて、送受信データの符号化及び／又は復号化の処理方法を可変させる符復号化処理手段と、を有する、ことを特徴とする通信システム。
【請求項２】
請求項１記載の通信システムであって、
前記伝播状態検出手段は、前記電波の伝播状態を伝播環境データとして検出し、
前記符復号化処理手段は、
前記分類モデルに基づいて前記伝播環境データの分類を行い、該分類結果に応じて符復号化ＩＤデータを生成する分類機能部と、
前記送受信データの符号化処理を行う複数の符号化処理部と、
前記複数の符号化処理部の中から、前記分類機能部により生成された前記符復号化ＩＤデータに対応する前記符号化処理部を選択する符号化制御部と、
前記送受信データの復号化処理を行う複数の復号化処理部と、
前記複数の復号化処理部の中から、前記分類機能部により生成された前記符復号化ＩＤデータに対応する前記復号化処理部を選択する復号化制御部と、
を有する、ことを特徴とする通信システム。
【請求項３】
請求項１又は２記載の通信システムであって、
前記無線端末および前記無線基地局装置のうち少なくとも一方は、前記伝播状態検出手段により検出された前記伝播環境データに基づいて、前記分類モデルを生成する学習機能部を有する、ことを特徴とする通信システム。
【請求項４】
請求項２記載の通信システムであって、
前記分類機能部は、
前記伝播環境データのデータ形式を変換する前処理部と、
前記分類モデルに基づいて、前記前処理部により変換された前記伝播環境データに前記符復号化ＩＤデータを付与する分類部と、を有する、ことを特徴とする通信システム。
【請求項５】
請求項３記載の通信システムであって、
前記無線基地局装置は、前記符復号化ＩＤデータに対応付けられた前記伝播環境データの集合を格納する学習データ格納部を更に有しており、
前記学習機能部は、前記学習データ格納部に格納された前記伝播環境データに基づいて、学習を行い、前記分類モデルを生成する、ことを特徴とする通信システム。
【請求項６】
請求項１乃至５のうちいずれか１項記載の通信システムであって
前記伝播環境データは、ＢＥＲ（Bit Error Rate）、バースト誤り率、送信電力、受信電力、前記無線端末の位置情報、及び／又は気候情報を含む、ことを特徴とする通信システム。
【請求項７】
無線基地局装置とデータ通信を行う無線端末であって、
現在位置における電波の伝播状態を検出する伝播状態検出手段と、
前記伝播状態検出手段により検出された前記電波の伝播状態と、該伝播状態の分類モデルとに基づいて、送受信データの符号化及び／又は復号化の処理方法を可変させる符復号化処理手段と、を有する、ことを特徴とする無線端末。
【請求項８】
無線端末とデータ通信を行う無線基地局装置であって、
現在位置における電波の伝播状態を検出する伝播状態検出手段と、
前記伝播状態検出手段により検出された前記電波の伝播状態と、該伝播状態の分類モデルとに基づいて、送受信データの符号化及び／又は復号化の処理方法を可変させる符復号化処理手段と、を有する、ことを特徴とする無線基地局装置。
【請求項９】
無線端末と無線基地局装置との間でデータ通信を行う通信方法であって、
現在位置における電波の伝播状態を検出する伝播状態検出工程と、
前記伝播状態検出工程で検出された前記電波の伝播状態と、該伝播状態の分類モデルとに基づいて、送受信データの符号化及び／又は復号化の処理方法を可変させる符復号化処理工程と、を含む、ことを特徴とする通信方法。
【発明の詳細な説明】
【技術分野】
【０００１】
本発明は、通信システム、無線端末、無線基地局装置、および通信方法に関するものであり、より詳細には、送受信データの符号化及び／又は復号化の処理方法を可変させる通信システム、無線端末、無線基地局装置、および通信方法に関するものである。
【背景技術】
【０００２】
従来、無線端末及び無線基地局装置は、通信方式に応じて、一つのチャネルに対して、一連の符復号化処理が一意に定められており、ＲＮＣ(無線ネットワーク制御装置)から通知された制御情報に従い、符復号化処理を行うように構成されている。
【０００３】
一方、伝送路の状態に適応した符号化・復号化方法を採用して伝送路誤りによる再生音声の劣化の度合いを平均的に軽減する伝送路符号化装置が知られている（例えば、特許文献１参照）。
【０００４】
また、通信路品質読み取り手段によって通信路の品質を読み取り、通信路に適した符号化手段を符号化選択手段で選択する通信装置が知られている（例えば、特許文献２参照）。
【特許文献１】特開平９−２３２１２号公報
【特許文献２】特開平１１−２６１５３４号公報
【発明の開示】
【発明が解決しようとする課題】
【０００５】
ところで、無線通信、特に移動通信において、通信路の状態は、無線端末の位置や周辺の地形、天候などの無線端末周辺の地域情報に大きく関係している。したがって、同じＢＥＲ（Bit Error Rate）を持つ通信路でも、無線端末周辺の地域情報が異なれば、ビットを誤る傾向も異なるため、有効な符復号化処理も異なる。また、無線端末周辺の地域情報は、無線端末が属する地域毎に全く異なるため、本来ならば地域毎に、個別に実施する符復号化処理手段を用意するのが好ましい。
【０００６】
しかしながら、上記従来技術において、例えば、無線端末周辺の地域情報が十分に考慮されずに、実施する符復号化処理方法を決定していると考えられる。したがって、各地域情報に十分適した送受信データの符復号化処理が行われているとは言い難い。
【０００７】
本発明は、このような問題点を解決するためになされたものであり、送受信データを最適に符復号化処理できる通信システム、無線端末、無線基地局装置、および通信方法を提供することを主たる目的とする。
【課題を解決するための手段】
【０００８】
上記目的を達成するための本発明の一態様は、無線端末と、該無線端末とデータ通信を行う無線基地局装置と、を備える通信システムであって、前記無線端末および前記無線基地局装置のうち少なくとも一方は、現在位置における電波の伝播状態を検出する伝播状態検出手段と、前記伝播状態検出手段により検出された前記電波の伝播状態と、該伝播状態の分類モデルとに基づいて、送受信データの符号化及び／又は復号化の処理方法を可変させる符復号化処理手段と、を有する、ことを特徴とする通信システムである。
【０００９】
また、上記目的を達成するための本発明の一態様は、無線基地局装置とデータ通信を行う無線端末であって、現在位置における電波の伝播状態を検出する伝播状態検出手段と、前記伝播状態検出手段により検出された前記電波の伝播状態と、該伝播状態の分類モデルとに基づいて、送受信データの符号化及び／又は復号化の処理方法を可変させる符復号化処理手段と、を有する、ことを特徴とする無線端末である。
【００１０】
さらに、上記目的を達成するための本発明の一態様は、無線端末とデータ通信を行う無線基地局装置であって、現在位置における電波の伝播状態を検出する伝播状態検出手段と、  前記伝播状態検出手段により検出された前記電波の伝播状態と、該伝播状態の分類モデルとに基づいて、送受信データの符号化及び／又は復号化の処理方法を可変させる符復号化処理手段と、を有する、ことを特徴とする無線基地局装置である。
【００１１】
他方、上記目的を達成するための本発明の一態様は、無線端末と無線基地局装置との間でデータ通信を行う通信方法であって、現在位置における電波の伝播状態を検出する伝播状態検出工程と、前記伝播状態検出工程で検出された前記電波の伝播状態と、該伝播状態の分類モデルとに基づいて、送受信データの符号化及び／又は復号化の処理方法を可変させる符復号化処理工程と、を含む、ことを特徴とする通信方法である。
【発明の効果】
【００１２】
本発明によれば、送受信データを最適に符復号化処理できる。
【発明を実施するための最良の形態】
【００１３】
以下、本発明を実施するための最良の形態について、添付図面を参照しながら実施形態を挙げて説明する。図１は、本発明の実施形態に係る通信システムの機能ブロック図である。本実施形態に係る通信システム１は、無線端末と、無線端末とデータ通信を行う無線基地局装置と、を備えている。
【００１４】
無線端末および無線基地局装置のうち少なくとも一方は、伝播状態検出手段３と、符復号化処理手段４と、を有している。伝播状態検出手段３は、無線端末又は無線基地局装置の現在位置における電波の伝播状態を検出する。符復号化処理手段４は、伝播状態検出手段３により検出された電波の伝播状態と、伝播状態の分類モデルとに基づいて、無線端末又は無線基地局装置における送受信データの符号化及び／又は復号化の処理方法を可変させる。これにより、送受信データを最適に符復号化処理できる。
（第１実施形態）
図２は、本発明の第１実施形態に係る通信システムの概略の構成を示す概略図である。図２に示す如く、第１実施形態に係る通信システム１は、複数の無線端末１０と、無線基地局装置３０と、を備えている。無線基地局装置３０は、当該装置３０を中心とした所定通信領域内（セル内）にある各無線端末１０と、双方向のデータ通信を行っている。また、各無線端末１０および無線基地局装置３０は、各無線端末１０および無線基地局装置３０における電波の伝播状態に応じて、送受信データの符号化及び復号化の処理方法を可変させている。
【００１５】
図３は、第１実施形態に係る通信システム１の無線端末１０におけるシステム構成の一例を示すブロック図である。図３に示す如く、無線端末１０は、伝播環境データ採取部１１と、分類機能部１２、符復号化ＩＤ判定部１３、制御チャネル復号化処理部１４、制御チャネル生成部１５、制御チャネル符号化処理部１６、無線送受信処理部１７、送受信部１８、ユーザデータ生成部１９、符号化制御部２０、ユーザデータ符号化処理部２１_０〜２１_Ｘ、復号化制御部２２、ユーザデータ復号化処理部２３_０〜２３_Ｘ、およびユーザデータ格納部２４を有している。
【００１６】
伝播環境データ採取部（伝播状態検出手段）１１は、一定の周期で、無線端末１０の現在位置における電波の伝播状態を測定し、その測定結果である伝播環境データを保持する。
【００１７】
ここで、伝播環境データとは、同一通信時における、ＢＥＲ（Bit Error Rate）、バースト誤り率、送信電力、受信電力、無線端末１０の位置情報、気候情報などの複数の属性を持つ事例データを指す。この事例データは、ユーザによる任意の設定が可能であり、データの送受信品質に相関が強い情報を選択するのが好ましい。
【００１８】
また、無線基地局装置３０がそのセル内に存在する無線端末１０に対して、報知チャネルを用いて、共通のデータ列を配信したときにおいて、すなわち、同一通信時において、伝播環境データ採取部１１は、その電波の伝播状態を測定し、上記伝播環境データを１つの事例データとして、検出する。なお、上記電波の伝播状態は、無線基地局装置３０において測定されてもよい。伝播環境データ採取部１１は、検出した伝播環境データを、分類機能部１２に対して送信する。
【００１９】
分類機能部１２は、分類モデルに基づいて伝播環境データの分類を行い、その分類結果に応じて符復号化ＩＤデータを生成する。なお、分類モデルは、後述の如く、予め無線基地局装置３０により生成され、各無線端末１０に対して送信される。また、分類モデルにおいて、伝播環境データと、符復号化ＩＤデータと、が対応付けられている。
【００２０】
分類機能部１２は、前処理部１２ａと、分類部１２ｂとを有している。前処理部１２ａは、伝播環境データ採取部１１からの伝播環境データを、分類データとして、分類モデルに適したデータ形式に変換する。分類部１２ｂは、分類モデルを用いて、変換された伝播環境データに対して、教師データとなる符復号化ＩＤデータを、付与する。分類機能部１２の分類部１２ｂは、符復号化ＩＤデータが付与された伝播環境データを、符復号化ＩＤ判定部１３に対して送信する。
【００２１】
符復号化ＩＤ判定部１３は、分類機能部１２から送信された伝播環境データの符復号化ＩＤデータを判定する。無線端末１０から無線基地局装置３０へのデータのアップロード時において、符復号化ＩＤ判定部１３は、分類機能部１２から送信された伝播環境データの符復号化ＩＤデータを判定し、制御チャネル生成部１５に対して、符復号化ＩＤデータを送信する。そして、符復号化ＩＤ判定部１３は、制御チャネル生成部１５から送信された制御チャネルデータと、符復号化ＩＤデータとを、符号化制御部２０に対して送信する。
【００２２】
一方で、無線基地局装置３０から無線端末１０へのデータのダウンロード時において、符復号化ＩＤ判定部１３は、制御チャネル復号化処理部１４から送信された制御チャネルデータに基づいて、符復号化ＩＤデータを判定し、復号化制御部２２に対して、符復号化ＩＤデータと制御チャネルデータとを、送信する。
【００２３】
制御チャネル復号化処理部１４は、無線送受信処理部１７から送信された制御チャネルデータを復号化する。なお、この制御チャネルデータに対する復号化処理は、１種類だけであり、常に同一の復号化処理が行われる。
【００２４】
制御チャネル生成部１５は、無線端末１０のアップロード時において、符復号化ＩＤ判定部１３から送信された符復号化ＩＤデータに基づいて、制御チャネルデータを生成し、この制御チャネルデータを、制御チャネル符号化処理部１６および符号化制御部２０に対して、送信する。
【００２５】
制御チャネル符号化処理部１６は、制御チャネル生成部１５から送信された制御チャネルデータを符号化し、無線送受信処理部１７に対して送信する。なお、この制御チャネルデータに対する符号化処理は、１種類だけであり、常に同一の符号化処理が行われる。
【００２６】
無線送受信処理部１７は、上記各機能部（例えば、伝播環境データ採取部１１、制御チャネル符号化処理部１６、ユーザデータ符号化処理２１_０〜２１_Ｘ）から送信されたデータを送受信部１８に対して、送信する。一方で、無線送受信処理部１７は、送受信部１８から送信されたデータを、チャネルに応じて上記各機能部（例えば、制御チャネル復号化処理部１４、復号化制御部２２）に対して送信する。送受信部１８は、無線基地局装置３０との間で、データの送受信を行う。
【００２７】
ユーザデータ生成部１９は、ユーザによる無線端末１０の操作情報に基づいて、ユーザ個別のチャネルデータ（送受信データ）を生成し、このチャネルデータを符号化制御部２０に対して送信する。
【００２８】
符号化制御部２０は、符復号化ＩＤ判定部１３からの符復号化ＩＤデータに基づいて、複数のユーザデータ符号化処理部２１_０〜２１_Ｘの中から、その符復号化ＩＤデータに対応するユーザデータ符号化処理部２１_０〜２１_Ｘを選択する。そして、符号化制御部２０は、ユーザデータ生成部１９からのチャネルデータと、符復号化ＩＤ判定部１３からの制御チャネルデータとを、選択したユーザデータ符号化処理部２１_０〜２１_Ｘに対して、送信する。
【００２９】
複数のユーザデータ符号化処理部２１_０〜２１_Ｘは、符号化制御部２０からの制御チャネルデータに基づいて、チャネルデータを符号化する。そして、各ユーザデータ符号化処理部２１_０〜２１_Ｘは、符号化したチャネルデータを、無線送受信処理部１７に対して送信する。
【００３０】
なお、各ユーザデータ符号化処理部２１_０〜２１_Ｘは、符号化の処理方法が夫々相違しており、符復号化ＩＤデータに予め対応付けられている。すなわち、伝播環境データに対応付けられた符復号化ＩＤデータと、その最適な符号化処理が可能となるユーザデータ符号化処理部２１_０〜２１_Ｘと、が対応付けられている。これにより、無線端末１０の伝播環境データに応じた、チャネルデータの最適な符号化処理が可能となる。
【００３１】
例えば、ユーザデータ符号化処理部２１_０は、インターリーブ処理を含む符号化処理を行い、ユーザデータ符号化処理部２１_１は、インターリーブ処理を含まない符号化処理を行うと仮定する。また、インターリーブ処理の目的は、ビットの順序をランダム化し、バースト誤りが生じても正しく誤り訂正ができるようにすることである。したがって、バースト誤りがほとんど生じないような場合には、インターリーブ処理を行う必要がなくなる。
この場合、分類機能部１２は、分類モデルに基づいて、伝播環境データのバースト誤り率が極端に低いと判断したとき、インターリーブ処理を含まないユーザデータ符号化処理部２１_１に対応付けされた、符復号化ＩＤデータを生成する。そして、符号化制御部２０は、この符復号化ＩＤデータに基づいて、インターリーブ処理を含まないユーザデータ符号化処理部２１_１を選択する。一方、分類機能部１２は、分類モデルに基づいて、伝播環境データのバースト誤り率が低くないと判断したとき、インターリーブ処理を含むユーザデータ符号化処理部２１_０に対応付けされた、符復号化ＩＤデータを生成する。そして、符号化制御部２０は、この符復号化ＩＤデータに基づいて、インターリーブ処理を含むユーザデータ符号化処理部２１_０を選択する。
【００３２】
復号化制御部２２は、符号化制御部２０と同様に、符復号化ＩＤ判定部１３からの符復号化ＩＤデータに基づいて、複数のユーザデータ復号化処理部２３_０〜２３_Ｘの中から、その符復号化ＩＤデータに対応するユーザデータ復号化処理部２３_０〜２３_Ｘを選択する。そして、復号化制御部２２は、無線送受信処理部１７からのチャネルデータと、符復号化ＩＤ判定部１３からの制御チャネルデータとを、選択したユーザデータ復号化処理部２３_０〜２３_Ｘに対して、送信する。
【００３３】
複数のユーザデータ復号化処理部２３_０〜２３_Ｘは、ユーザデータ符号化処理部２１_０〜２１_Ｘと同様に、復号化制御部２２からの制御チャネルデータに基づいて、チャネルデータを復号化する。そして、各ユーザデータ復号化処理部２３_０〜２３_Ｘは、復号化したチャネルデータを、ユーザデータ格納部２４に対して送信する。
【００３４】
なお、各ユーザデータ復号化処理部２３_０〜２３_Ｘは、復号化の処理方法が夫々相違しており、符復号化ＩＤデータに予め対応付けられている。すなわち、伝播環境データに対応付けられた符復号化ＩＤデータと、最適な復号化処理が可能となるユーザデータ復号化処理部２３_０〜２３_Ｘと、が対応付けられている。これにより、無線端末１０の伝播環境データに応じた、チャネルデータの最適な復号化処理が可能となる。
【００３５】
ユーザデータ格納部２４は、ユーザデータ復号化処理部２３_０〜２３_Ｘから送信された復号化後のチャネルデータを格納する。また、ユーザデータ格納部２４は、無線基地局装置３０から送信された分類モデルを格納する。
【００３６】
図４は、第１実施形態に係る通信システム１の無線基地局装置３０におけるシステム構成の一例を示すブロック図である。図４に示す如く、無線基地局装置３０は、送受信部３１、無線送受信処理部３２、学習データ格納部３３、学習機能部３４、制御チャネル符号化処理部３５、制御チャネル復号化処理部３６、符復号化ＩＤ判定部３７、Ｉｕｂインターフェース（ＩｕｂＩＦ）３８、Ｉｕｂ３９、符号化制御部４０、ユーザデータ符号化処理部４１_０〜４１_Ｘ、復号化制御部４２、およびユーザデータ復号化処理部４３_０〜４３_Ｘを有している。
【００３７】
送受信部３１は、無線端末１０の送受信部１８との間で、データの送受信を行う。
【００３８】
無線送受信処理部３２は、上記各機能部（例えば、学習機能部３４、制御チャネル符号化処理部３５、ユーザデータ符号化処理部４１_０〜４１_Ｘ）から送信されたデータを、送受信部３１に対して送信する。また、無線送受信処理部３２は、送受信部３１から送信されたデータを、チャネルに合わせて上記各機能部（例えば、制御チャネル復号化処理部３６、復号化制御部４２）に対して送信する。
【００３９】
学習データ格納部３３は、符復号化ＩＤデータに対応付けられた複数の伝播環境データ（教師あり伝播環境データ）からなる、学習データ集合を格納している。以下、教師あり伝播環境データとは、伝播環境データに符復号化ＩＤデータをクラスとして付与したデータを指すものとする。学習データ格納部３３は、この学習データ集合を学習機能部３４に対して送信する。
【００４０】
学習機能部３４は、学習データ格納部３３からの学習データ集合に基づいて、分類モデルを生成する。学習機能部３４は、学習データ生成部３４ａと、学習部３４ｂと、分類モデル格納部３４ｃと、を有している。学習データ生成部３４ａは、学習データ格納部３４ｃから送信された学習データ集合を、使用する学習アルゴリズムに適したデータ形式に変換する。学習部３４ｂは、学習データ生成部３４ａから送信された学習データ集合を用いて学習を行い、符復号化処理方法をクラスとした分類モデルを生成する。分類モデル格納部３４ｃは、学習部３４ｂで生成された分類モデルを記憶する。
【００４１】
制御チャネル符号化処理部３５は、Ｉｕｂインターフェース３８から送信された制御チャネルデータを符号化する。
【００４２】
Ｉｕｂインターフェース３８は、各機能部（例えば、制御チャネル復号化処理部３６、符号化制御部４０、ユーザデータ復号化処理部４３_０〜４３_Ｘ）から送信されたデータを、Ｉｕｂ３９に対して送信する。また、Ｉｕｂインターフェース３８は、Ｉｕｂ３９から送信された制御チャネルデータを、制御チャネル符号化処理部３５に対して送信すると共に、チャネルデータを符号化制御部４０に対して送信する。Ｉｕｂ３９は、上位レイヤとデータの送受信を行う。
【００４３】
制御チャネル復号化処理部３６は、無線送受信処理部３２から送信された制御チャネルデータを復号化する。そして、制御チャネル復号化処理部３６は、復号化した制御チャネルデータを、符復号化ＩＤ判定部３７とＩｕｂインターフェース３８に対して送信する。
【００４４】
符復号化ＩＤ判定部３７は、制御チャネル復号化処理部３６から送信された制御チャネルデータに基づいて、符復号化ＩＤデータを判別する。そして、符復号化ＩＤ判定部３７は、判別した符復号化ＩＤデータと、制御チャネルデータとを、符号化制御部４０および復号化制御部４２に対して送信する。
【００４５】
符号化制御部４０は、無線端末１０の符号化制御部２０と同様に、符復号化ＩＤ判定部３７から送信された符復号化ＩＤデータに基づいて、複数のユーザデータ符号化処理部４１_０〜４１_Ｘの中から、その符復号化ＩＤデータに対応するユーザデータ符号化処理部４１_０〜４１_Ｘを選択する。そして、符号化制御部４０は、Ｉｕｂインターフェース３８からのチャネルデータと、符復号化ＩＤ判定部３７からの制御チャネルデータとを、選択したユーザデータ符号化処理部４１_０〜４１_Ｘに対して、送信する。
【００４６】
複数のユーザデータ符号化処理部４１_０〜４１_Ｘは、符号化制御部４０からの制御チャネルデータに基づいて、チャネルデータを符号化する。そして、各ユーザデータ符号化処理部４１_０〜４１_Ｘは、符号化したチャネルデータを、無線送受信処理部３２に対して送信する。なお、各ユーザデータ符号化処理部４１_０〜４１_Ｘは、符号化の処理方法が夫々相違しており、符復号化ＩＤデータに予め対応付けられている。
【００４７】
復号化制御部４２は、符号化制御部４０と同様に、符復号化ＩＤ判定部３７からの符復号化ＩＤデータに基づいて、複数のユーザデータ復号化処理部４３_０〜４３_Ｘの中から、その符復号化ＩＤデータに対応するユーザデータ復号化処理部４３_０〜４３_Ｘを選択する。そして、復号化制御部４２は、無線送受信処理部３２からのチャネルデータと、符復号化ＩＤ判定部３７からの制御チャネルデータとを、選択したユーザデータ復号化処理部４３_０〜４３_Ｘに対して、送信する。
【００４８】
複数のユーザデータ復号化処理部４３_０〜４３_Ｘは、ユーザデータ符号化処理部４１_０〜４１_Ｘと同様に、復号化制御部４２からの制御チャネルデータに基づいて、チャネルデータを復号化する。そして、各ユーザデータ復号化処理部４３_０〜４３_Ｘは、復号化したチャネルデータを、Ｉｕｂインターフェース３８に対して送信する。なお、各ユーザデータ復号化処理部４３_０〜４３_Ｘは、復号化の処理方法が夫々相違しており、符復号化ＩＤデータに予め対応付けられている。
【００４９】
なお、無線端末１０及び無線基地局装置３０は、制御処理、演算処理等と行うＣＰＵ（Central Processing Unit）、ＣＰＵによって実行される制御プログラム、演算プログラム等が記憶されたＲＯＭ（Read Only Memory）、処理データ等を一時的に記憶するＲＡＭ（Random Access Memory）等からなるマイクロコンピュータを、中心にして構成されている。
【００５０】
次に、第１実施形態に係る通信システム１の通信方法のフローについて、詳細に説明する。図５は、第１実施形態に係る通信システム１による通信方法の処理フローの一例を示すフローチャートである。
【００５１】
図５に示す如く、無線基地局装置３０の学習機能部３４は、学習データ格納部３３に予め格納された複数の伝播環境データを、学習データとして学習を行い、分類モデルを生成する（ステップＳ１０１）。
【００５２】
次に、無線基地局装置３０の無線送受信処理部３２は、上述の個別のチャネルデータの伝送方法と同様に、各無線端末１０に対して、送受信部３１を介して生成した分類モデルを送信する（ステップＳ１０２）。
【００５３】
また、無線端末１０の無線送受信処理部１７は、送受信部１８を介して、無線基地局装置３０からの分類モデルを受信し、復号化制御部２２を介して、ユーザデータ復号化処理部２３_０〜２３_Ｘに送信する。ユーザデータ復号化処理部２３_０〜２３_Ｘは、分類モデルの復号化を行い、ユーザデータ格納部２４に対して送信する。ユーザデータ格納部２４は、この分類モデルを格納する（ステップＳ１０３）。
【００５４】
その後、無線端末１０の伝播環境データ採取部１１は、アイドル状態の間、一定周期で、ＢＥＲ、バースト誤り率、送信電力、受信電力、無線端末１０の位置情報、気候情報等の伝播環境データを測定する（ステップＳ１０４）。
【００５５】
そして、無線端末１０から無線基地局装置３０へのデータのアップロードの開始、または、無線基地局装置３０から無線端末１０へのデータのダウンロードの開始が、判断される（ステップＳ１０５）。アップロード処理の開始が判断されると、後述のアップロード処理（図６）が実行され（ステップＳ１０６）、ダウンロードの開始が判断されると、後述のダウンロード処理（図７）が実行される（ステップＳ１０７）。これらアップロード処理およびダウンロード処理が終了すると、上記（ステップＳ１０４）に戻る。
【００５６】
次に、上述の無線端末１０から無線基地局装置３０へのアップロード処理について、詳細に説明する。図６は、無線端末１０から無線基地局装置３０へのアップロード処理フローの一例を示すフローチャートである。
【００５７】
図６に示す如く、まず、ＲＡＢ（Radio Access Bearer）確立後に、無線端末１０の分類機能部１２は、伝播環境データ採取部１１からの最新の伝播環境データと、ユーザデータ格納部２４に格納された分類モデルと、に基づいて符復号化ＩＤデータを生成する。そして、分類機能部１２は、生成した符復号化ＩＤデータを分類データに付与して、符復号化ＩＤ判定部１３に対して送信する（ステップＳ１１１）。
【００５８】
符復号化ＩＤ判定部１３は、受信した符復号化ＩＤデータを制御チャネル生成部１５に対して送信する。制御チャネル生成部１５は、この符復号化ＩＤデータに基づいて、制御チャネルデータを生成し、生成した制御チャネルデータを、制御チャネル符号化処理部１６および符号化制御部２０に対して、送信する。制御チャネル符号化処理部１６は、制御チャネルデータの符号化を行い、無線送受信処理部１７に対して送信する（ステップＳ１１２）。
【００５９】
次に、符号化制御部２０は、符復号化ＩＤ判定部１３からの符復号化ＩＤデータに基づいて、複数のユーザデータ符号化処理部２１_０〜２１_Ｘの中から、その符復号化ＩＤデータに対応するユーザデータ符号化処理部２１_０〜２１_Ｘを選択する。そして、符号化制御部２０は、ユーザデータ生成部１９からのチャネルデータと、符復号化ＩＤ判定部１３からの制御チャネルデータとを、選択したユーザデータ符号化処理部２１_０〜２１_Ｘに対して、送信する。選択されたユーザデータ符号化処理部２１_０〜２１_Ｘは、符号化制御部２０からの制御チャネルデータに基づいて、チャネルデータを符号化し、無線送受信処理部１７に対して送信する（ステップＳ１１３）。
【００６０】
無線送受信処理部１７は、符号化された制御チャネルデータおよびチャネルデータを、送受信部１８を介して無線基地局装置３０に対して送信する（ステップＳ１１４）。
【００６１】
無線基地局装置３０の無線送受信処理部３２は、制御チャネルデータおよびチャネルデータを、送受信部３１を介して受信し、制御チャネル復号化処理部３６および復号化制御部４２に対して送信する（ステップＳ１１５）
【００６２】
制御チャネル復号化処理部３６は、受信した制御チャネルデータを復号化し（ステップＳ１１６）、符復号化ＩＤ判定部３７に対して送信する。符復号化ＩＤ判定部３７は、制御チャネル復号化処理部３６から送信された制御チャネルデータに基づいて、符復号化ＩＤデータを判別し、符復号化ＩＤデータと、制御チャネルデータとを、復号化制御部４２に対して送信する（ステップＳ１１７）。
【００６３】
復号化制御部４２により選択されたユーザデータ復号化処理部４３_０〜４３_Ｘは、復号化制御部４２からの制御チャネルデータに基づいて、チャネルデータを復号化する（ステップＳ１１８）。
【００６４】
次に、上述の無線基地局装置３０から無線端末１０へのダウンロード処理について、詳細に説明する。図７は、無線基地局装置３０から無線端末１０へのダウンロード処理フローの一例を示すフローチャートである。
【００６５】
図７に示す如く、まず、ＲＡＢ（Radio Access Bearer）確立後に、無線端末１０の分類機能部１２は、伝播環境データ採取部１１からの最新の伝播環境データと、ユーザデータ格納部２４に格納された分類モデルと、に基づいて、符復号化ＩＤデータを生成し、分類データに符復号化ＩＤデータを付与して、符復号化ＩＤ判定部１３に対して送信する（ステップＳ１２１）。
【００６６】
次に、符復号化ＩＤ判定部１３は、受信した符復号化ＩＤデータを制御チャネル生成部１５に対して送信する。制御チャネル生成部１５は、この符復号化ＩＤデータに基づいて、制御チャネルデータを生成し、生成した制御チャネルデータを、制御チャネル符号化処理部１６に対して、送信する。制御チャネル符号化処理部１６は、制御チャネルデータの符号化を行い、無線送受信処理部１７に対して送信する（ステップＳ１２２）。
【００６７】
その後、無線送受信処理部１７は、符号化された制御チャネルデータを、送受信部１８を介して無線基地局装置３０に対して送信する（ステップＳ１２３）。
【００６８】
そして、無線基地局装置３０の無線送受信処理部３２は、制御チャネルデータを、送受信部３１を介して受信し、制御チャネル復号化処理部３６に対して送信する（ステップＳ１２４）。
【００６９】
また、制御チャネル復号化処理部３６は、受信した制御チャネルデータを復号化し、復号化した制御チャネルデータを、符復号化ＩＤ判定部３７およびＩｕｂインターフェース３８に対して送信する（ステップＳ１２５）。
【００７０】
次に、符復号化ＩＤ判定部３７は、制御チャネル復号化処理部３６から送信された制御チャネルデータに基づいて、符復号化ＩＤデータを判別し、判別した符復号化ＩＤデータと、制御チャネルデータとを、符号化制御部４０に対して送信する（ステップＳ１２６）。
【００７１】
その後、符号化制御部４０は、符復号化ＩＤ判定部３７から送信された符復号化ＩＤデータに基づいて、複数のユーザデータ符号化処理部４１_０〜４１_Ｘの中から、その符復号化ＩＤデータに対応するユーザデータ符号化処理部４１_０〜４１_Ｘを選択する。また、符号化制御部４０は、Ｉｕｂインターフェース３８からのチャネルデータと、符復号化ＩＤ判定部３７からの制御チャネルデータとを、選択したユーザデータ符号化処理部４１_０〜４１_Ｘに対して、送信する。選択されたユーザデータ符号化処理部４１_０〜４１_Ｘは、符号化制御部４０からの制御チャネルデータに基づいて、チャネルデータを符号化し、符号化したチャネルデータを、無線送受信処理部３２に対して送信する（ステップＳ１２７）。
【００７２】
また、制御チャネル符号化処理部３５は、Ｉｕｂ３９から受信した制御チャネルデータを、符号化し、無線送受信処理部３２に対して送信する（ステップＳ１２８）。
【００７３】
そして、無線送受信処理部３２は、送受信部３１を介して、符号化されたチャネルデータと、制御チャネルデータとを、無線端末１０に対して送信する（ステップＳ１２９）。
【００７４】
無線端末１０の無線送受信処理部１７は、チャネルデータと制御チャネルデータとを、送受信部１８を介して受信し、制御チャネル復号化処理部１４と復号化制御部２２とに対して、送信する（ステップＳ１３０）。
【００７５】
次に、制御チャネル復号化処理部１４は、受信した制御チャネルデータを復号化し（ステップＳ１３１）、符復号化ＩＤ判定部１３に対して送信する。
【００７６】
そして、符復号化ＩＤ判定部１３は、制御チャネル復号化処理部１４から送信された制御チャネルデータに基づいて、符復号化ＩＤデータを判定し、復号化制御部２２に対して、符復号化ＩＤデータと制御チャネルデータとを、送信する（ステップＳ１３２）。
【００７７】
その後、復号化制御部２２は、符復号化ＩＤ判定部１３からの符復号化ＩＤデータに基づいて、複数のユーザデータ復号化処理部２３_０〜２３_Ｘの中から、その符復号化ＩＤデータに対応するユーザデータ復号化処理部２３_０〜２３_Ｘを選択する。そして、復号化制御部２２は、無線送受信処理部１７からのチャネルデータと、符復号化ＩＤ判定部１３からの制御チャネルデータとを、選択したユーザデータ復号化処理部２３_０〜２３_Ｘに対して、送信する。選択されたユーザデータ復号化処理部２３_０〜２３_Ｘは、復号化制御部２２からの制御チャネルデータに基づいて、チャネルデータを復号化する（ステップＳ１３３）。
【００７８】
以上、第１実施形態に係る通信システム１において、無線端末１０の伝播環境データ採取部１１は伝播環境データを採取し、分類機能部１２は、伝播環境データ採取部１１からの伝播環境データと、無線基地局装置３０からの分類モデルとに基づいて、分類データに符復号化ＩＤデータを付与して、符復号化ＩＤ判定部１３に対して送信する。そして、符号化制御部２０は、符復号化ＩＤ判定部１３からの符復号化ＩＤデータに基づいて、複数のユーザデータ符号化処理部２１_０〜２１_Ｘの中から、その符復号化ＩＤデータに対応するユーザデータ符号化処理部２１_０〜２１_Ｘを選択する。また、復号化制御部２２は、符復号化ＩＤ判定部１３からの符復号化ＩＤデータに基づいて、複数のユーザデータ復号化処理部２３_０〜２３_Ｘの中から、その符復号化ＩＤデータに対応するユーザデータ復号化処理部２３_０〜２３_Ｘを選択する。
【００７９】
これにより、各無線端末１０の周囲における電波の伝播環境に応じて、送受信データの最適な符復号化処理を行うことが可能となる。さらに、例えば、無線端末１０の現在位置又は位置変動に起因したスループットの悪化を最小限に抑え、スループットの向上を図ることができる。すなわち、送受信データを最適に符復号化処理できる。
【００８０】
また、無線端末１０と無線基地局装置３０との間で測定された伝播環境データは、無線端末１０周辺における電波の伝播環境データと密接に関係している。したがって、この伝播環境データは、ユーザデータ符号化処理部２１_０〜２１_Ｘ及びユーザデータ復号化処理部２３_０〜２３_Ｘ、すなわち、符復号化処理方法をクラスとした分類モデルの生成に使用する学習データとして最適となる。このため、各無線端末１０における符復号処理方法の自動選択にデータマイニング技術が適用可能となる。
【００８１】
これにより、無線端末１０の符号化制御部２０及び復号化制御部２２は、符復号化ＩＤデータに基づいて、予め設定された複数のユーザデータ符号化処理部２１_０〜２１_Ｘ及びユーザデータ復号化処理部２３_０〜２３_Ｘの中から、無線端末１０周辺の地域情報が十分に考慮された、最適なユーザデータ符号化処理部２１_０〜２１_Ｘ及びユーザデータ復号化処理部２３_０〜２３_Ｘを、自動的に選択できる。
【００８２】
（第２実施形態）
次に、本発明の第２実施形態に係る通信システム１について、説明する。図８は、第２実施形態に係る通信システム２の無線端末１０におけるシステム構成の一例を示すブロック図である。第２実施形態に係る無線端末１０において、符号化制御部２０は、上記第１実施形態で記載した機能に加えて、学習データ集合を無線基地局装置３０に対して送信する場合に、ユーザデータ格納部２４に格納された学習データ集合（教師あり伝播環境データ）をチャネルデータとして取得する機能を有している。
【００８３】
また、ユーザデータ符号化処理部２１_０〜２１_Ｘおよびユーザデータ復号化処理部２３_０〜２３_Ｘは、上記第１実施形態で記載した機能に加えて、符復号化時に使用した教師あり伝播環境データを、ユーザデータ格納部２４に逐次保存する機能を有している。
【００８４】
さらに、ユーザデータ格納部２４は、復号化されたチャネルデータだけでなく、上述の如く、符復号化時に使用した教師あり伝播環境データを格納する。そして、ユーザデータ格納部２４は、学習データ集合を無線基地局装置３０に対して送信する際に、その教師あり伝播環境データを、符号化制御部２０に対して送信する機能を有している。
【００８５】
図９は、第２実施形態に係る通信システム１の無線基地局装置３０におけるシステム構成の一例を示すブロック図である。第２実施形態に係る無線基地局装置３０において、学習データ格納部３３は、予め用意されていた学習データ集合だけでなく、ユーザデータ復号化処理部４３_０〜４３_Ｘにより復号化された学習データ集合（教師あり伝播環境データ）を追加して格納し、この追加の学習データ集合を、学習機能部３４の学習データ生成部３４ａに対して送信する機能を有している。
【００８６】
また、学習データ生成部３４ａは、学習データ格納部３３に上記学習データ集合が追加して格納された時、既存の学習データ集合と追加された学習データ集合とを適宜混合する。そして、学習データ生成部３４ａは、既存の学習データ数と同事例の新たな学習データ集合を生成し、使用する学習アルゴリズムに適したデータ形式に変換する機能を有している。
【００８７】
さらに、ユーザデータ復号化処理部４３_０〜４３_Ｘは、上記第１実施形態で記載した機能に加えて、学習データ集合を復号化した場合に、その学習データ集合を学習データ格納部３３に対して送信する機能を有している。
【００８８】
第２実施形態に係る通信システム２において、他の構成は、第１実施形態に係る通信システム１と略同一であるため、詳細な説明は省略する。
【００８９】
図１０は、第２実施形態に係る通信システム２による通信方法の処理フローの一例を示すフローチャートである。なお、図１０における、（ステップＳ１４１）乃至（ステップＳ１４７）の処理は、第１実施形態に係る図５に示す（ステップＳ１０１）乃至（ステップＳ１０７）の処理と略同一である。また、図１０に示す処理フローは、所定時間毎に繰り返し実行される。
【００９０】
すなわち、無線基地局装置３０の学習機能部３４は、学習データ格納部３３に予め格納された複数の伝播環境データを、学習データとして学習を行い、分類モデルを生成する（ステップＳ１４１）。
【００９１】
次に、無線基地局装置３０の無線送受信処理部３２は、個別のチャネルデータの伝送方法と同様に、各無線端末１０に対して、送受信部３１を介して生成した分類モデルを送信する（ステップＳ１４２）。
【００９２】
また、無線端末１０のユーザデータ格納部２４は、無線送受信処理部１７及び送受信部１８を介して、受信した分類モデルを格納する（ステップＳ１４３）。
【００９３】
その後、無線端末１０の伝播環境データ採取部１１は、アイドル状態の間、一定周期で、ＢＥＲ、バースト誤り率、送信電力、受信電力、無線端末１０の位置情報、気候情報等の伝播環境データを測定する（ステップＳ１４４）。
【００９４】
そして、無線端末１０から無線基地局装置３０へのデータのアップロードの開始、または、無線基地局装置３０から無線端末１０へのデータのダウンロードの開始が判断される（ステップＳ１４５）。アップロード処理の開始が判断されると、上述のアップロード処理が実行され（ステップＳ１４６）、ダウンロードの開始が判断されると、上述のダウンロード処理が実行される（ステップＳ１４７）。これらアップロード処理およびダウンロード処理が終了すると、後述の（ステップＳ１４８）に移行する。
【００９５】
無線端末１０のユーザデータ格納部２４は、上記アップロード処理（ステップＳ１４６）及び／又は上記ダウンロード処理（ステップＳ１４７）で使用した教師あり伝播環境データを、学習データとして、逐次格納する（ステップＳ１４８）。
【００９６】
次に、無線端末１０は、無線基地局装置３０から分類モデルを受信した時から一定時間経過しているか否かを判断する（ステップＳ１４９）。なお、上記一定時間は、ユーザにより任意に設定可能であるが、月単位（例えば、１ヶ月または２ヶ月）であるのが好ましい。
【００９７】
無線端末１０は、分類モデルを受信した時から一定時間経過していないと判断したとき（ステップＳ１４９のＮＯ）、上記（ステップＳ１４４）に戻る。一方で、無線端末１０は、分類モデルを受信した時から一定時間経過していると判断したとき（ステップＳ１４９のＹＥＳ）、アイドル状態の間にチャネルデータを送信するときと同様の方法で、ユーザデータ格納部２４に格納していた学習データ集合を、無線基地局装置３０に対して送信する（ステップＳ１５０）。
【００９８】
そして、無線基地局装置３０の学習データ格納部３３は、無線端末１０から受信した学習データ集合を格納する（ステップＳ１５１）。
【００９９】
学習機能部３４の学習データ生成部３４ａは、上記学習データ格納部３３に新たに追加された学習データ集合と、既存の学習データ集合とを適宜混合する。そして、学習データ生成部３４ａは、既存の学習データ数と同事例の新たな学習データ集合を生成し、使用する学習アルゴリズムに適したデータ形式に変換する（ステップＳ１５２）。
【０１００】
以上、第２実施形態に係る通信システム２において、無線端末１０は、分類モデルを受信した時から一定時間経過していると判断したとき、ユーザデータ格納部２４に格納していた学習データ集合を、無線基地局装置３０に対して送信する。そして、学習機能部３４の学習データ生成部３４ａは、新たに追加された学習データ集合と、既存の学習データ集合とを適宜混合し、既存の学習データ数と同事例の新たな学習データ集合を生成する。これにより、一定期間経過後に学習データ集合を最新のデータで更新することができる。したがって、無線基地局装置のセル内の地形や気候等の地域特有の情報をより高精度に反映した分類モデルを生成することができ、さらに、時間が経過するに従って、分類モデルの分類精度がより向上するという有利な効果を奏する。
【０１０１】
なお、本発明を実施するための最良の形態について上記実施形態を用いて説明したが、本発明はこうした実施形態に何等限定されるものではなく、本発明の要旨を逸脱しない範囲内において、上述した実施形態に種々の変形及び置換を加えることができる。
【０１０２】
例えば、上記実施形態において、無線基地局装置３０が学習機能部３４を有する構成であるが、無線端末１０が学習機能部を有する構成であってもよい。
【０１０３】
また、上記実施形態において、無線端末１０が伝播環境データ採取部１１および分類機能部１２を有する構成であるが、無線基地局装置３０が伝播環境データ採取部および分類機能部を有する構成であってもよい。
【図面の簡単な説明】
【０１０４】
【図１】本発明の実施形態に係る通信システムの機能ブロック図である。
【図２】本発明の第１実施形態に係る通信システムの概略の構成を示す概略図である。
【図３】本発明の第１実施形態に係る通信システムの無線端末におけるシステム構成の一例を示すブロック図である。
【図４】本発明の第１実施形態に係る通信システムの無線基地局装置におけるシステム構成の一例を示すブロック図である。
【図５】本発明の第１実施形態に係る通信システムによる通信方法の処理フローの一例を示すフローチャートである。
【図６】無線端末から無線基地局装置へのアップロード処理フローの一例を示すフローチャートである。
【図７】無線基地局装置から無線端末へのダウンロード処理フローの一例を示すフローチャートである。
【図８】本発明の第２実施形態に係る通信システムの無線端末におけるシステム構成の一例を示すブロック図である。
【図９】本発明の第２実施形態に係る通信システムの無線基地局装置におけるシステム構成の一例を示すブロック図である。
【図１０】本発明の第２実施形態に係る通信システムによる通信方法の処理フローの一例を示すフローチャートである。
【符号の説明】
【０１０５】
１        通信システム
１０        無線端末
１１        伝播環境データ採取部
１２        分類機能部
１２ａ      前処理部
１２ｂ      分類部
１３、３７  符復号化ＩＤ判定部
１４、３６  制御チャネル復号化処理部
１５        制御チャネル生成部
１６、３５  制御チャネル符号化処理部
１７、３２  無線送受信処理部
１８、３１  送受信部
１９        ユーザデータ生成部
２０、４０  符号化制御部
２１、４１  ユーザデータ符号化処理部
２２、４２  復号化制御部
２３、４３  ユーザデータ復号化処理部
２４        ユーザデータ格納部
３０        無線基地局装置
３３        学習データ格納部
３４        学習機能部
３４ａ      学習データ生成部
３４ｂ      学習部
３４ｃ      分類モデル格納部
３８        Ｉｕｂインターフェース
３９        Ｉｕｂ
【図１】
2009296316.tif 000003
【図２】
2009296316.tif 000004
【図３】
2009296316.tif 000005
【図４】
2009296316.tif 000006
【図５】
2009296316.tif 000007
【図６】
2009296316.tif 000008
【図７】
2009296316.tif 000009
【図８】
2009296316.tif 000010
【図９】
2009296316.tif 000011
【図１０】
2009296316.tif 000012